(57)【特許請求の範囲】
【請求項１】
文字盤と、この文字盤の裏側に配設されたムーブメントと、前記文字盤の表側から該文字盤の貫通孔を貫通して該文字盤の裏側の前記ムーブメントの回転軸に連結されることで、当該ムーブメントにより前記文字盤と略平行な面内で回転駆動される指針と、前記文字盤の裏側に該文字盤と略平行に配設された配線板と、該配線板上に搭載された指針照明用の光源と、を有し、
前記指針が、前記文字盤の表側に沿って延出された指示部と、前記光源からの光を前記指示部まで導く導光体とからなると共に、該導光体が、前記文字盤の表側に配された第１導光部材と、前記文字盤の裏側に配され且つ文字盤の貫通孔を通して前記第１導光部材と連結された第２導光部材との組み合わせにより構成され、
該第２導光部材が、前記ムーブメントの回転軸に連結された中心軸部と、該中心軸部と一体成形され、前記ムーブメントの回転軸の周囲に配設された前記配線板上の前記光源に向けて裾が広がった円錐状壁部とを有しており、
前記円錐状壁部の裾が広がった側の端面に、前記回転軸の軸線に対して略垂直な面をなし且つ対面する前記光源から出射される光が入射する環状の受光面が形成され、
前記円錐状壁部の外周壁に、前記受光面から前記第２導光部材の内部に入射した光が最初に反射する第１反射面が設けられ、
該第１反射面が、前記受光面から入射した光を多く集めて次の第２反射面に向けて収束的に反射するよう、円錐状壁部の母線の方向に沿って外側に凹状に湾曲した凹曲面で形成され、
前記第２反射面が、前記円錐状壁部の内周壁に形成され且つ前記第１反射面からの反射光を前記第１導光部材の方向へ向けて反射するテーパ面またはテーパ状の凸曲面で構成されている発光指針計器であって、
前記円錐状壁部が、正円錐台の底面中央に円形の凹部を設けることにより形成されており、前記第２反射面が、前記円形の凹部の内底隅部に形成されており、前記凹部の中心に、前記回転軸を連結するために中心孔が形成され、
前記第２導光部材の中心孔に、少なくとも外周面が白色系材料により構成された軸固定部材が嵌合され、その軸固定部材に形成された軸孔に前記ムーブメントの回転軸が挿入固定されていることを特徴とする発光指針計器。
【請求項２】
請求項１に記載の発光指針計器であって、
前記凹部の開口側の内周壁が前記回転軸に略平行な円筒面として形成され、その円筒面と凹部の内底面との間の環状の隅部に前記第２反射面が形成され、該第２反射面が、前記第２導光部材の内側から見て凸の曲面であり且つ前記円筒面と凹部の内底面とをなだらかに繋ぐ環状の湾曲面により構成されていることを特徴とする発光指針計器。
【請求項３】
請求項１に記載の発光指針計器であって、
前記凹部の開口側の内周壁がテーパ面またはテーパ状の曲面として形成され、そのテーパ面またはテーパ状の曲面と前記凹部の内底面との間の環状の隅部に前記第２反射面が形成され、該第２反射面が、前記第２導光部材の内側から見て凸の曲面であり且つ前記テーパ面またはテーパ状の曲面と前記凹部の内底面とをなだらかに繋ぐ環状の湾曲面により構成されていることを特徴とする発光指針計器。
【発明の詳細な説明】
【技術分野】
【０００１】
本発明は、光源を用いて指針を発光させる発光指針計器に係り、特に、視認性に優れ、車両用に用いて好適な発光指針計器に関する。
【背景技術】
【０００２】
例えば、自動車用のスピードメータ等のように指針によって表示を行なう指示計器では、指針を文字盤と共に照明するものだけでなく、発光素子等の光源の光を指針に対して別途に導入することによって、指針を発光させるようにしたものがある。こうした発光指針を備えた計器として、例えば、特許文献１に記載のものが知られている。
【０００３】
図８は特許文献１に記載の発光指針計器の構造を示す断面図である。
【０００４】
この発光指針計器は、文字盤１１２と、文字盤１１２の裏側に配設されたムーブメント１１７と、文字盤１１２の表側から文字盤１１２の貫通孔１１２ａを貫通して文字盤１１２の裏側のムーブメント１１７の回転軸１１８に連結されることで、当該ムーブメント１１７により文字盤１１２と略平行な面内で回転駆動される指針１１０と、文字盤１１２の裏側に文字盤１１２と略平行に配設された配線板１１６と、配線板１１６上に搭載された指針照明用の光源（ＬＥＤ等）１２０と、を有している。
【０００５】
指針１１０は、文字盤１１２の表側に沿って延出された指示部１１０Ａと、光源１２０からの光を指示部１１０Ａまで導く導光体１１０Ｂとからなる。導光体１１０Ｂは、文字盤１１２の表側に配された第１導光部材１２１と、文字盤１１２の裏側に配され且つ文字盤１１２の貫通孔１１２ａを通して第１導光部材１２１と連結された第２導光部材１２２との組み合わせにより構成されている。
【０００６】
第１導光部材１２１は、指示部１１０Ａの主要部を兼ねる針状部１２１ｆと、針状部１２１ｆの基部近傍から垂直下方に延びる軸部１２１ａとを有しており、軸部１２１ａの端部の入射面１２１ｄが、第２導光部材１２２の出射面１２２ｎと結合されている。また、第１導光部材１２１の軸部１２１ａの突き当たり部分には反射部材１２５が設けられており、第２導光部材１２２から入射して軸部１２１ａを通った光が、反射部材１２５により形成される反射面１２１ｅで反射されて、針状部１２１ｆの方向へ導かれるようになっている。針状部１２１ｆへ導かれた光は、反射を繰り返しながら拡散されることで、指示部１１０Ａを照明することになる。
【０００７】
また、第２導光部材１２２は、ムーブメント１１７の回転軸１１８に連結された中心軸部１２２ｃと、その中心軸部１２２ｃと一体成形され、ムーブメント１１７の回転軸１１８の周囲に配設された配線板１１６上の光源１２０に向けて裾が広がった円錐状壁部１２２ａとを有している。
【０００８】
円錐状壁部１２２ａの裾が広がった側の端面には、回転軸１１８の軸線に対して略垂直な面をなした環状の受光面１２２ｄが設けられており、この受光面１１２ｄに、光源１２０から出射される光が入射するようになっている。円錐状壁部１２２ａは、正円錐台の底面に環状の凹部１２２ｂを設けることで形成されている。そして、受光面１２２ｄから入射された光は、円錐状壁部１２２ａの外周壁で形成される第１反射面１２２ｅと内周壁で形成される第２反射面１２２ｆとで反射を繰り返しながら第１導光部材１２１の入射面１２１ｄに到達し、第１導光部材１２１の軸部１２１ａを通って、突き当たりの反射部材１２５で反射して指示部１１０Ａに導かれるようになっている。この場合、第１反射面１２２ｅ及び第２反射面は、単純なテーパ面により構成されており、受光面１２２ｄから入射した光は、平面反射を繰り返しながら
【特許文献１】特開２００２−２４３５０８号公報
【発明の開示】
【発明が解決しようとする課題】
【０００９】
ところで、上述した特許文献１に記載の発光指針計器では、第２導光部材１２２の円錐状壁部１２２ａの受光面１２２ｄに入射した光が、単純なテーパ面で構成された反射面１２２ｅ、１２２ｆで反射を繰り返しながら第１導光部材１２１へと導かれるので、反射回数が多く、反射のたびに損失が生じるので、最終的な指針１１０の指示部１１０Ａの照明輝度が低下するという問題がある。
【００１０】
本発明は、上記事情を考慮し、指針の指示部の照明輝度を高めることのできる発光指針計器を提供することを目的とする。
【課題を解決するための手段】
【００１１】
請求項１の発明は、文字盤と、この文字盤の裏側に配設されたムーブメントと、前記文字盤の表側から該文字盤の貫通孔を貫通して該文字盤の裏側の前記ムーブメントの回転軸に連結されることで、当該ムーブメントにより前記文字盤と略平行な面内で回転駆動される指針と、前記文字盤の裏側に該文字盤と略平行に配設された配線板と、該配線板上に搭載された指針照明用の光源と、を有し、前記指針が、前記文字盤の表側に沿って延出された指示部と、前記光源からの光を前記指示部まで導く導光体とからなると共に、該導光体が、前記文字盤の表側に配された第１導光部材と、前記文字盤の裏側に配され且つ文字盤の貫通孔を通して前記第１導光部材と連結された第２導光部材との組み合わせにより構成され、該第２導光部材が、前記ムーブメントの回転軸に連結された中心軸部と、該中心軸部と一体成形され、前記ムーブメントの回転軸の周囲に配設された前記配線板上の前記光源に向けて裾が広がった円錐状壁部とを有しており、前記円錐状壁部の裾が広がった側の端面に、前記回転軸の軸線に対して略垂直な面をなし且つ対面する前記光源から出射される光が入射する環状の受光面が形成され、前記円錐状壁部の外周壁に、前記受光面から前記第２導光部材の内部に入射した光が最初に反射する第１反射面が設けられ、該第１反射面が、前記受光面から入射した光を多く集めて次の第２反射面に向けて収束的に反射するよう、円錐状壁部の母線の方向に沿って外側に凹状に湾曲した凹曲面で形成され、前記第２反射面が、前記円錐状壁部の内周壁に形成され且つ前記第１反射面からの反射光を前記第１導光部材の方向へ向けて反射するテーパ面またはテーパ状の凸曲面で構成されている発光指針計器であって、前記円錐状壁部が、正円錐台の底面中央に円形の凹部を設けることにより形成されており、前記第２反射面が、前記円形の凹部の内底隅部に形成されており、前記凹部の中心に、前記回転軸を連結するために中心孔が形成され、前記第２導光部材の中心孔に、少なくとも外周面が白色系材料により構成された軸固定部材が嵌合され、その軸固定部材に形成された軸孔に前記ムーブメントの回転軸が挿入固定されていることを特徴としている。
【００１３】
請求項２の発明は、請求項１に記載の発光指針計器であって、前記凹部の開口側の内周壁が前記回転軸に略平行な円筒面として形成され、その円筒面と凹部の内底面との間の環状の隅部に前記第２反射面が形成され、該第２反射面が、前記第２導光部材の内側から見て凸の曲面であり且つ前記円筒面と凹部の内底面とをなだらかに繋ぐ環状の湾曲面により構成されていることを特徴としている。
【００１４】
請求項３の発明は、請求項１に記載の発光指針計器であって、前記凹部の開口側の内周壁がテーパ面またはテーパ状の曲面として形成され、そのテーパ面またはテーパ状の曲面と前記凹部の内底面との間の環状の隅部に前記第２反射面が形成され、該第２反射面が、前記第２導光部材の内側から見て凸の曲面であり且つ前記テーパ面またはテーパ状の曲面と前記凹部の内底面とをなだらかに繋ぐ環状の湾曲面により構成されていることを特徴としている。
【発明の効果】
【００１６】
請求項１の発明によれば、光源から出た光が、次の経路で第１導光部材に導かれる。即ち、配線板上の光源から出た光は、光源に対面する第２導光部材の円錐状壁部の受光面に入射し、その光の多くが、第２導光部材の内部を通り第１反射面に入射する。第１反射面は凹曲面で構成されており、第１反射面に入射した光の多くは、その凹面の収束作用により第２反射面に向けて反射され、第２反射面に集中的に入射する。第２反射面に入射した光は、次に第１導光部材に向けて反射されるので、第２導光部材の内部を直進して、あるいは、何回かの反射を繰り返しながら第１導光部材に導かれる。そして、第１導光部材に導入された光により、指針の指示部が照明される。従って、第１反射面を凹曲面で構成したことにより、できるだけ多くの光を少ない反射回数で第２反射面を介して第１導光部材に導くことができ、反射による損失の軽減により、指針の指示部の照明輝度を高めることができる。また、円錐状壁部の受光面は環状になっているから、指針が回転した際に、光源に対面する任意の位置で光を受け入れることができ、その光を第１導光部材に導くことができる。この場合、光源は、回転軸を中心とする円周上に複数個等間隔で設けるのがよいが、環状光源を使用してもよい。
【００１７】
さらに、正円錐台の底面に凹部を設けることで前記円錐状壁部を形成しており、その円形の凹部の内底隅部に第２反射面を形成しているので、第１反射面からの光を無駄な方向に漏らさずに必要な方向（第１導光部材の方向）へ向けて反射させることができる。また、凹部の内底部にムーブメントの回転軸を連結するための中心孔を設けているので、凹部にムーブメントの出っ張り部分などを入れることができ、コンパクト化に貢献できる。特に、第２導光部材の中心孔に、少なくとも外周面が白色系材料により構成された軸固定部材を嵌合させたので、中心孔の周壁による反射効率を高めることができ、輝度向上に貢献できる。
【００１８】
請求項２の発明によれば、凹部の開口側の内周壁を回転軸に略平行な円筒面として形成したので、凹部があるものの、凹部の外側に位置する受光面をできるだけ広くとることができ、多くの光を無理なく受光面に取り入れることができ、輝度向上に貢献できる。
【００１９】
請求項３の発明によれば、凹部の開口側の内周壁をテーパ面またはテーパ状の曲面として形成したので、第１反射面からの反射光を効率よく第１導光部材に向けて反射することができる。
【発明を実施するための最良の形態】
【００２１】
以下、本発明による発光指針計器を自動車用のスピードメータに適用した場合の実施形態を図面に基づいて説明する。
【００２２】
図１は実施形態のスピードメータの正面図、図２は図１のＩＩ−ＩＩ矢視断面図、図３はその要部の断面図、図４は要部の構成に光の経路を合わせて示す断面図、図５は同スピードメータに使用される第２導光部材の構成図で、図５（ａ）は軸固定部材を第２導光部材へ挿入する前の状態を示す断面図、図５（ｂ）は軸固定部材を第２導光部材へ挿入した状態を示す断面図、図６（ａ）、（ｂ）は第２導光部材の円錐状壁部の受光面付近の部分断面の各例を示す図である。
【００２３】
図１、図２に示すように、このスピードメータ（発光指針計器）は、凹面状の反射板部１Ａを前面に有するケース１と、このケース１の前端周縁部に連結された見返し部２と、見返し部２に保持された前面保護用のカバーガラス３と、ケース１の反射板部１Ａの前面に配され且つ速度指示目盛が記された透光性の文字盤４と、ケース１の裏面を覆う裏カバー５と、文字盤４の裏側に配設されたムーブメント７と、文字盤４の表側から文字盤４の中央の貫通孔４ａを貫通して文字盤４の裏側のムーブメント７の回転軸８に連結されることで、当該ムーブメント７により文字盤４と略平行な面内で回転駆動される指針１０と、文字盤４の裏側に文字盤４と略平行に配設された配線板６と、配線板６上に搭載された指針照明用の光源２０及び文字盤照明用の光源９と、を主な構成要素として有するものである。
【００２４】
ムーブメント７は、回転軸８を配線板６の前面側に突出させた状態で、配線板６の裏側に取り付け固定され、光源２０、９は全て配線板６の前面に実装されている。光源２０、９には、ここではＬＥＤ（発光ダイオード）が使用されているが、他のものでもよい。ムーブメント７は、例えば、交差コイル型あるいは可動コイル型等の電気式のもので、別途設けられた駆動回路（図示略）により、回転軸８を速度センサの信号に応じた角度に回動させる。配線板６には、各種電子部品（たとえば、抵抗、コンデンサ、トランジスタ、ＩＣ等）が実装されて、ムーブメント７の駆動回路が形成されている。
【００２５】
指針１０は、文字盤４の表側に沿って延出され、光源２０から導かれた光により照明される指示部１０Ａと、光源２０からの光を指示部１０Ａまで導く導光体１０Ｂとからなる。
【００２６】
導光体１０Ｂは、文字盤４の表側に配された第１導光部材２１と、文字盤４の裏側に配され且つ文字盤４の貫通孔４ａを通して第１導光部材２１と連結された第２導光部材２２との組み合わせにより構成されている。第１導光部材２１及び第２導光部材２２は、透明な樹脂（たとえばアクリル、ポリカーボネート等）により構成されている。
【００２７】
図３に示すように、第１導光部材２１は、指示部１０Ａの一部を兼ねる針状部２１ｆと、針状部２１ｆの基部から垂直下方に突出する軸部２１ａと、軸部２１ａの端面の入射面２１ｄと、入射面２１ｄに対向し且つ入射面２１ｄから入射した光を針状部２１ｆに向けて反射する反射面２１ｅとを有しており、前面の基部側が指針キャップ１２により覆われている。
【００２８】
また、第２導光部材２２は、ムーブメント７の回転軸８に連結された中心軸部２２ｃと、この中心軸部２２ｃと一体に成形され、ムーブメント７の回転軸８の周囲に配設された配線板６上の光源２０に向けて裾が広がった円錐状壁部２２ａとを有している。
【００２９】
中心軸部２２ｃのムーブメント７と反対側の端面は第１導光部材２１へ向けての出射面２２ｎとなっており、第１導光部材２１の入射面２１ｄと密着している。即ち、第１導光部材２１の軸部２１ａの周囲には指針袴部材１４が設けられており、この指針袴部材１４の筒状部に形成された係止孔１４ａに、指針袴部材１４の筒状部に挿入した第２導光部材２２の中心軸部２２ｃの外周の爪２２ｙを係合させることで、指針袴部材１４を介して、第１導光部材２１と第２導光部材２２とが連結されており、それにより第１導光部材２１の入射面２２ｄと第２導光部材２２の出射面２２ｎとが密着させられている。なお、これら入射面２２ｄと出射面２２ｎは、指針１０の回転軸線Ｌ（ムーブメント７の回転軸線と一致）に対して垂直な面として構成されている。
【００３０】
また、第２導光部材２２の円錐状壁部２２ａの裾が広がった側の端面には、ムーブメント７の回転軸８の軸線Ｌに対して略垂直な面をなし且つ対面する光源２０から出射される光が入射する環状の受光面２２ｄが形成されている。また、円錐状壁部２２ａの外周壁には、受光面２２ｄから第２導光部材２２の内部に入射した光が最初に反射する第１反射面２２ｅが設けられている。この第１反射面２２ｅは、受光面２２ｄから入射した光を多く集めて次の第２反射面２２ｆに向けて収束的に反射するように、円錐状壁部２２ａの母線の方向に沿って外側に凹状に湾曲した凹曲面で形成されている。
【００３１】
また、第２反射面２２ｆは、円錐状壁部２２ａの内周壁に形成され且つ第１反射面２２ｅからの反射光を第１導光部材２１の方向へ向けて反射するテーパ状の凸曲面（またはテーパ面）で構成されている。また、第１反射面２２ｅの図中上側（第１導光部材２１側）には、第２反射面２２ｆからの反射光を受けて、第１導光部材２１側へ向けて反射する第３反射面２２ｇが設けられている。この第３反射面２２ｇもテーパ状の凹曲面（またはテーパ面）により構成されている。また、中心軸部２２ｃの外周面や内周面も反射面２２ｇ、２２ｈとなっている。
【００３２】
この場合、円錐状壁部２２ａは、正円錐台の底面中央に円形の凹部２２ｂを設けることによって形成されており、第２反射面２２ｆは、円形の凹部２２ｂの内底隅部に形成されている。
【００３３】
図５（ａ）、（ｂ）に示すように、この第２導光部材２２の凹部２２ｂの中心には、回転軸８を連結するために中心孔２２ｘが形成されており、その中心孔２２ｘに、少なくとも外周面が白色系材料により構成された軸固定部材２３が嵌合され、その軸固定部材２３に形成された軸孔２３ａにムーブメント７の回転軸８が挿入固定されている。
【００３４】
また、円錐状壁部２２ａの端部は、図６（ａ）または（ｂ）のように構成されている。
【００３５】
図６（ａ）の例では、凹部２２ｂの開口側の内周壁２２ｂ１が回転軸８に略平行な円筒面として形成され、その円筒面と凹部２２ｂの内底面との間の環状の隅部に第２反射面２２ｆが形成され、第２反射面２２ｆが、第２導光部材２２の内側から見て凸の曲面であり且つ前記円筒面と凹部２２ｂの内底面とをなだらかに繋ぐ環状の湾曲面により構成されている。
【００３６】
図６（ｂ）の例では、凹部２２ｂの開口側の内周壁２２ｂ２がテーパ面またはテーパ状の曲面として形成され、そのテーパ面またはテーパ状の曲面と凹部２２ｂの内底面との間の環状の隅部に第２反射面２２ｆが形成され、第２反射面２２ｆが、第２導光部材２２の内側から見て凸の曲面であり且つ前記テーパ面またはテーパ状の曲面と凹部２２ｂの内底面とをなだらかに繋ぐ環状の湾曲面により構成されている。
【００３７】
次に作用を説明する。
【００３８】
指針照明用の光源２０からの光は、第２導光部材２２を介して第１導光部材２１に到達することで、指針１０の指示部１０Ａの一部を照明する。また、文字盤照明用の光源９からの光は、直接または反射板部１Ａで反射されることにより、文字盤４を背後から照明する。
【００３９】
指針１０の指示部１０Ａの照明についてより詳しく述べると、光源２０から出た光は、次の経路で第１導光部材２１に導かれる。
【００４０】
即ち、配線板６上の光源２０から出た光は、図４にその光路を示すように、光源２０に対面する第２導光部材２２の円錐状壁部２２ａの受光面２２ｄに入射し、その光の多くが、第２導光部材２２の内部を通り、第１反射面２２ｅに入射する。
【００４１】
第１反射面２２ｅは凹曲面で構成されており、第１反射面２２ｅに入射した光の多くは、その凹面の収束作用により第２反射面２２ｆに向けて反射され、第２反射面２２ｆに集中的に入射する。第２反射面２２ｆに入射した光は、次に第１導光部材２１に向けて反射されるので、第２導光部材２２の内部を直進して、あるいは、第３反射面２２ｇ等により何回かの反射を繰り返しながら第１導光部材２１に導かれる。そして、第１導光部材２１に導入された光により、指針１０の指示部１０Ａが照明される。
【００４２】
従って、第１反射面２２ｅを凹曲面で構成したことにより、できるだけ多くの光を少ない反射回数で第２反射面２２ｆや第３反射面２２ｇ等を介して第１導光部材２１に導くことができ、反射による損失の軽減により、指針１０の指示部１０Ａの照明輝度を高めることができる。
【００４３】
また、円錐状壁部２２ａの受光面２２ｄは環状になっているから、指針１０が回転した際に、光源２０に対面する任意の位置で光を受け入れることができ、その光を第１導光部材２１に導くことができる。この場合、光源２０は、回転軸８を中心とする円周上に複数個等間隔で設けられており、ムラのない照明効果を得ることができる。なお、光源２０として環状光源を使用してもよい。
【００４４】
また、本実施形態では、正円錐台の底面に凹部２２ｂを設けることで円錐状壁部２２ａを形成しており、その円形の凹部２２ｂの内底隅部に第２反射面２２ｆを形成しているので、第１反射面２２ｅからの光を無駄な方向に漏らさずに必要な方向（第１導光部材２１の方向）へ向けて反射させることができる。また、凹部２２ｂの内底部にムーブメント７の回転軸８を連結するための中心孔２２ｘを設けているので、凹部２２ｂにムーブメント７の出っ張り部分などを入れることができ、コンパクト化に貢献できる。
【００４５】
また、本実施形態では、第２導光部材２２の中心孔２２ｘに、少なくとも外周面が白色系材料により構成された軸固定部材２３を嵌合させたので、中心孔２２ｘの周壁（反射面２２ｈに相当）による反射効率を高めることができ、輝度向上に貢献できる。
【００４６】
また、円錐状壁部２２ａの端部形状の効果について検討してみると、図６（ａ）に示すように、凹部２２ｂの開口側の内周壁２２ｂ１を回転軸８に略平行な円筒面として形成した場合は、凹部２２ｂがあるものの、凹部２２ｂの外側に位置する受光面２２ｄをできるだけ広くとることができ、多くの光を無理なく受光面２２ｄに取り入れることができ、輝度向上に貢献できる。
【００４７】
また、図６（ｂ）に示すように、凹部２２ｂの開口側の内周壁をテーパ面またはテーパ状の曲面として形成した場合は、第１反射面２２ｅからの反射光を効率よく第１導光部材２１に向けて反射することができる。
【００４８】
なお、上記実施形態では、第２導光部材２２の中心孔２２ｘに軸固定部材２３を介してムーブメント７の回転軸８を固定した場合を示したが、図７に示すような第２導光部材２２Ｂを使用することもできる。この第２導光部材２２Ｂを使用した場合は、ムーブメント７の回転軸８を直接第２導光部材２２の中心孔２２ｘに挿入固定する。
【図面の簡単な説明】
【００４９】
【図１】本発明の実施形態の発光指針計器としてのスピードメータの構成を示す正面図である。
【図２】図１のＩＩ−ＩＩ矢視断面図である。
【図３】図２の要部の断面図である。
【図４】図２の要部の構成を光の経路を合わせて示す断面図である。
【図５】同スピードメータに使用される第２導光部材の構成図で、（ａ）は軸固定部材を第２導光部材へ挿入する前の状態を示す断面図、（ｂ）は軸固定部材を第２導光部材へ挿入した状態を示す断面図である。
【図６】（ａ）、（ｂ）は第２導光部材の円錐状壁部の部分断面の各例を示す図である。
【図７】第２導光部材の別の構成例を示す断面図である。
【図８】従来の発光指針計器の一例を示す断面図である。
【符号の説明】
【００５０】
４  文字盤
４ａ  貫通孔
６  配線板
７  ムーブメント
８  回転軸
１０  指針
１０Ａ  指示部
１０Ｂ  導光体
２０  光源
２１  第１導光部材
２２  第２導光部材
２２ａ  円錐状壁部
２２ｂ  凹部
２２ｂ１，２２ｂ２  内周壁
２２ｃ  中心軸部
２２ｄ  受光面
２２ｅ  第１反射面
２２ｆ  第２反射面
２２ｘ  中心孔
２３  軸固定部材
２３ａ  軸孔
Ｌ  回転軸の軸線
【図１】
0005060840.tif 000002
【図２】
0005060840.tif 000003
【図３】
0005060840.tif 000004
【図４】
0005060840.tif 000005
【図５】
0005060840.tif 000006
【図６】
0005060840.tif 000007
【図７】
0005060840.tif 000008
【図８】
0005060840.tif 000009